(57)【要約】      （修正有）【課題】回転軸を支持する取り付けねじ兼軸受けの長さ寸法に影響されずに適用できる汎用性の高い回転操作負荷トルク付与装置を提供する。【解決手段】取り付けねじ兼軸受け１２によって回転可能に支持した回転軸１１に弾性体リング３３を圧接して該回転軸に回転操作負荷トルクを付与する構成において、取り付けねじ兼軸受けを取り付ける組み立て部材３１と、浅い有底円筒状の膨出部３２１と、この膨出部の開口端から円周方向に伸びる取り付け鍔部３２２と、膨出部の底部に形成した回転軸貫通穴３２３と、この回転軸貫通穴を囲むように底部の外側面に形成された弾性体リング収容凹部３２１ｂとを有する弾性体リング保持具３２と、弾性体リング収容凹部に収容された弾性体リング３３と、弾性体リングを押圧して変形させて回転軸に圧接する弾性体リング押圧板３４を備えた構成とする。【選択図】図３
0003192292.tif 000002
【実用新案登録請求の範囲】
【請求項１】
取り付けねじ兼軸受けによって回転可能に支持した回転軸に対して弾性体リングを圧接して該回転軸に回転操作負荷トルクを付与する構成の回転操作負荷トルク付与装置において、
取り付けねじ兼軸受けを取り付ける組み立て部材と、
有底円筒状の膨出部と、この膨出部の開口端から円周方向に伸びる取り付け鍔部と、前記膨出部の底部に形成した回転軸貫通穴と、この回転軸貫通穴を囲むように底部の外側面に形成された弾性体リング収容凹部とを有する弾性体リング保持具と、
前記回転軸を取り囲むように前記弾性体リング保持具の前記弾性体リング収容凹部に収容された弾性体リングと、
前記弾性体リング保持具の底部の外側面に取り付けられて前記弾性体リングを押圧して変形させて前記回転軸に圧接する弾性体リング押圧板を備えたことを特徴とする回転操作負荷トルク付与装置。
【請求項２】
請求項１において、前記回転軸は、取り付けねじ兼軸受けによって軸支されて本体外郭を回転可能に貫通して該本体外郭に導出された音量調整器又は音質調整器の回転軸であることを特徴とする回転操作負荷トルク付与装置。
【請求項３】
請求項１又は２において、前記弾性体リングは、ウレタンゴムまたはシリコンゴムで構成したことを特徴とする回転操作負荷トルク付与装置。
【考案の詳細な説明】
【技術分野】
【０００１】
本考案は、回転軸に対する回転操作負荷トルク付与装置に関する。
【背景技術】
【０００２】
音量調整器や音質調整器は、音響機器の機器操作パネルから突出する回転軸の外端部分に取り付けた回転操作つまみを手回しで回転操作することによって、器内に設けた電気抵抗体の分圧抵抗値を変えて音量や音質の変更を指示する構成である。
【０００３】
このような調整器は、回転操作つまみを手回しで回転操作するときの回転操作負荷トルクを安定した所定値に設定して維持することが望ましく、回転軸に弾性体リングを圧接して回転摩擦力（回転操作負荷トルク）を付与する回転操作負荷トルク付与装置を付加することが提案されている。この回転操作負荷トルク付与装置は、例えば音量調整器に関しては、調整器の本体外郭に対して回転軸を回転自在に貫通させると共に該本体外郭を機器操作パネルに取り付けるための取り付けねじ兼軸受けの外端面に位置するように、回転軸を通した弾性体リングを配置し、取り付けねじ兼軸受けの外周に形成された雄ねじに外端側から袋ナットを螺着して前記弾性体リングを圧縮することにより弾性変形させて回転軸に圧接して回転操作負荷トルクを付与する構成である。そして、回転操作負荷トルクの大きさは、弾性体リングの変形量を変えて回転軸への圧接力を変えることにより変化させるようにしている。
【先行技術文献】
【特許文献】
【０００４】
【特許文献１】特開２００５−３８１１７号公報
【特許文献２】特許第４３４１９００号公報
【考案の概要】
【考案が解決しようとする課題】
【０００５】
特許文献１，２に記載された回転操作つまみの回転操作負荷トルク付与装置は、音量調整器（ボリューム）を機器操作パネルに取り付けるための取り付けねじ兼軸受けの外端面で弾性体リングを弾性変形させて回転軸に圧接するために取り付けねじ兼軸受けの外周に形成した雄ねじに袋ナットを螺着する構成であることから、この回転操作負荷トルク付与装置を適用するボリュームは、取り付けねじ兼軸受けの長さが機器操作パネルへの取り付けに加えて袋ナットを螺着するのに適合する長さ寸法に構成されていることが必要であり、機器操作パネルへの取り付けのみを考慮した短い寸法の取り付けねじ兼軸受けを備えたボリュームにこの回転操作負荷トルク付与装置を適用することは困難である。
【０００６】
本考案の目的は、回転軸を取り付けねじ兼軸受けによって回転可能に支持する機器において、取り付けねじ兼軸受けの長さ寸法に影響されずに適用することが可能な汎用性の高い回転操作負荷トルク付与装置を提供することにある。
【０００７】
本考案の回転操作負荷トルク付与装置は、回転軸で操作する音量調整器、音質調整器、回転式スイッチ、回転式切り換え器等の各種の回転軸に対して広く適用することができるように構成する。
【課題を解決するための手段】
【０００８】
本考案の回転操作負荷トルク付与装置は、取り付けねじ兼軸受けによって回転可能に支持した回転軸に対して弾性体リングを圧接して該回転軸に回転操作負荷トルクを付与する構成において、
取り付けねじ兼軸受けを取り付ける組み立て部材と、
有底円筒状の膨出部と、この膨出部の開口端から円周方向に伸びる取り付け鍔部と、前記膨出部の底部に形成した回転軸貫通穴と、この回転軸貫通穴を囲むように底部の外側面に形成された弾性体リング収容凹部とを有する弾性体リング保持具と、
前記回転軸を取り囲むように前記弾性体リング保持具の前記弾性体リング収容凹部に収容された弾性体リングと、
前記弾性体リング保持具の底部の外側面に取り付けられて前記弾性体リングを押圧して変形させて前記回転軸に圧接する弾性体リング押圧板と
を備えた構成とする。
【考案の効果】
【０００９】
本考案の回転操作負荷トルク付与装置は、取り付けねじ兼軸受けを利用することなく弾性体リングを保持して回転軸に圧接するように構成しているので、取り付けねじ兼軸受けの長さ寸法にとらわれずに適用することができて汎用性に富んだものとなる。
【図面の簡単な説明】
【００１０】
【図１】本考案の実施例である音量調整器の斜視図である。
【図２】図１に示した音量調整器の一部を分解して示す斜視図である。
【図３】図１に示した音量調整器の一部を切断して示す側面図である。
【図４】図１に示した音量調整器の一部を分解して示す側面図である。
【図５】本考案の実施例である音量調整器を適用した音響機器の斜視図である。
【図６】図５に示した音響機器における音量調整器の取り付け状態を示す縦断側面図である。
【考案を実施するための形態】
【００１１】
音量調整器への適用を例示して実施形態を説明する。
【００１２】
この実施の形態における音量調整器は、電気抵抗体の表面に接触させた摺動子を回転軸により回転操作して摺動させる形態である。
【００１３】
そして、回転操作負荷トルク付与装置は、取り付けねじ兼軸受けによって回転可能に支持された回転軸に対して弾性体リングを圧接して該回転軸に回転操作負荷トルクを付与する構成であり、
取り付けねじ兼軸受けを取り付ける組み立て部材と、
有底円筒状の膨出部と、この膨出部の開口端から円周方向に伸びる取り付け鍔部と、前記膨出部の底部に形成した回転軸貫通穴と、この回転軸貫通穴を囲むように底部の外側面に形成された弾性体リング収容凹部とを有する弾性体リング保持具と、
前記回転軸を取り囲むように前記弾性体リング保持具の前記弾性体リング収容凹部に収容された弾性体リングと、
前記弾性体リング保持具の底部の外側面に取り付けられて前記弾性体リングを押圧して変形させることにより前記回転軸に圧接する弾性体リング押圧板と
を備えた構成とする。
【実施例】
【００１４】
この実施例は、音量調整器への適用例である。この実施例の音量調整器は、電気抵抗体の表面に接触させた摺動子を回転軸により摺動させることによって分圧点を変える構成であり、前記回転軸は、外端部に嵌着した回転操作つまみを手回し操作することによって回転させ、又は、遠隔操作指令に基づいて電動駆動操作器により歯車及びクラッチを介して回転駆動する構成であるが、このことは既知の構成手段であるので内部構成の図示説明は省略する。
【００１５】
図１〜図４において、１０は音量調整器、２０は前記音量調整器１０を電動駆動する電動駆動操作器、３０は音量調整器１０の回転軸１１に回転操作負荷トルクを付与する回転操作負荷トルク付与装置、４０は制御回路基板である。
【００１６】
音量調整器１０の回転軸１１は、取り付けねじ兼軸受け１２によって軸支することにより本体外郭を回転可能に貫通させて器外に導出されている。この音量調整器１０は、一般的には、取り付けねじ兼軸受け１２を機器操作パネルの取り付け穴に通して締め付け雌ねじ１３を螺着することにより機器操作パネルを本体外郭と締め付け雌ねじ１３間に挟持するようにして取り付けて使用されるが、この実施例における音量調整器１０は、回転操作負荷トルク付与装置３０の一部を構成する組み立て部材３１の取り付け穴３１１に通して締め付け雌ねじ１３を螺着することにより組み立て部材３１に取り付けられ、この組み立て部材３１の四隅に設けた組み付け穴３１２を使用して使用機器の機器操作パネルにねじ止めして組み付けられる。そして、回転軸１１の外端部には、回転操作つまみ１４が取り付けられる。
【００１７】
回転操作負荷トルク付与装置３０は、更に、弾性体リング保持具３２と、弾性体リング３３と、弾性体リング押圧板３４と、止めねじ３５を備える。
【００１８】
弾性体リング保持具３２は、浅い有底円筒状の膨出部３２１と、この膨出部３２１の開口端から円周方向に伸びる取り付け鍔部３２２と、前記膨出部３２１の底部３２１ａに形成した回転軸貫通穴３２３と、この回転軸貫通穴３２３を囲むように底部３２１ａの外側面に形成された弾性体リング収容凹部３２１ｂとを備える。この弾性体リング保持具３２は、組み立て部材３１に取り付けた音量調整器１０の取り付けねじ兼軸受け１２と締め付け雌ねじ１３を膨出部３２１の内側空間内に収容し、回転軸１１を回転軸貫通穴３２３の中心を貫通させるように位置させて取り付け鍔部３２２を取り付けねじ３２４によって組み立て部材３１に取り付ける。
【００１９】
弾性体リング３３は、ウレタンゴム又はシリコンゴムによって形成した摩擦係数や耐摩耗性に優れた環状の弾性体であり、弾性体リング保持具３２の弾性体リング収容凹部３２１ｂに収容され、軸方向に押圧することによって径方向の内外に伸長するように弾性変形する。外周方向の弾性変形は弾性体リング収容凹部３２１ｂの外周壁面に圧接し、内周方向の弾性変形は回転軸１１に圧接して該回転軸１１に摩擦抵抗力を付与する。
【００２０】
弾性体リング押圧板３４は、膨出部３２１の底部３２１ａの外側面に止めねじ３５により取り付けて弾性体リング３３を軸方向に押圧して弾性変形させる。
【００２１】
このように回転操作負荷トルク付与装置３０が付加された音量調整器１０は、図５及び図６に示すように、組み立て部材３１を介して使用機器である音響機器５０の機器操作パネル５１に組み付けられ、回転軸１１の外端部に取り付けられた回転操作つまみ１４は機器操作パネル５１の前面に露出する。具体的には、組み立て部材３１の四隅に設けられた組み付け穴３１２に組み付けねじ６２を通し、組み付けねじ６２の周りに間隔筒片６１を介在させて該組み付けねじ６２の先端部を機器操作パネル５１の内側にねじ込んで組み立て部材３１を組み付け、回転軸１１の外端部に取り付けられる回転操作つまみ１４が機器操作パネル５１の音量調整器組み付け窓５１１から機器操作パネル５１外に突出するように構成する。
【００２２】
そして、この音量調整器１０は、回転軸１１を回転操作つまみ１４を手回しで回転操作し、又は電動駆動操作器２０により回転操作することによって、音量を調整するように機能させる。手回し回転操作においては、回転軸１０に対して回転操作負荷トルク付与装置３０によって回転負荷トルクが付与されているので、好感触で回転操作することができる。
【００２３】
ところで、本考案の回転操作負荷トルク付与装置３０は、回転軸１０に回転負荷トルクを与える弾性体リング３３は、音量調整器１０の取り付けねじ兼軸受け１２とこの取り付けねじ兼軸受け１２に螺着する締め付け雌ねじ１３を膨出部３２１の内側空間内に収容するように弾性体リング保持具３４の膨出部３２１によって支持して回転軸１０に圧接する構成であるので、取り付けねじ兼軸受け１２の長さ寸法に影響されることがなく、この回転操作負荷トルク付与装置３０は、音量調整器１０の形態の影響を受けずに広く適用することができ、
手回し操作で感じていた駆動系のバックラッシュの違和感は、弾性体リング３３の弾性変形により印加される摩擦力によって回転操作負荷トルクが付与されていることから回転トルクの小さいバックラッシュは感知しにくくなり、従って、違和感を吸収緩和することができ、
更に、回転軸１１と取り付けねじ兼軸受け１２の寸法誤差により発生するガタツキ感は、弾性体リング３３の弾性変形による押圧力によって吸収することができる
等の効果が得られる。
【００２４】
この実施例は、音量調整器への適用例で説明したが、本考案の回転操作負荷トルク付与装置は、回転軸を回転操作する音量調整器、音質調整器、回転式スイッチ、回転式切り換え器等の各種の回転軸に対して広く適用することができる。
【符号の説明】
【００２５】
１０…音量調整器
１１…回転軸
１２…取り付けねじ兼軸受け
１３…締め付け雌ねじ
１４…回転操作つまみ
２０…電動駆動操作器
３０…回転操作負荷トルク付与装置
３１…組み立て部材
３１１…取り付け穴
３１２…組み付け穴
３２…弾性体リング保持具
３２１…膨出部
３２１ａ…底部
３２１ｂ…弾性体リング収容凹部
３２２…取り付け鍔部
３２３…回転軸貫通穴
３２４…取り付けねじ
３３…弾性体リング
３４…弾性体リング押圧板
３５…止めねじ
４０…制御回路基板
５０…音響機器
５１…機器操作パネル
５１１…音量調整器組み付け窓
６１…間隔筒片
６２…組み付けねじ
【図１】
0003192292.tif 000003
【図２】
0003192292.tif 000004
【図３】
0003192292.tif 000005
【図４】
0003192292.tif 000006
【図５】
0003192292.tif 000007
【図６】
0003192292.tif 000008